(57)【要約】バイザーと、着用者の頭部に支持されるのに適した可撓性周辺バンドと、を有する着用者を保護するのに適したヘッドギアが開示される。取り付けアタッチメントは、バイザーを着用者の顔の前に一般的には配置した状態で両側の取り付け位置の各々でバイザーを可撓性周辺バンドに取り付ける。取り付けアタッチメントは、可撓性周辺バンドに付随したスライドチャネルとバイザーに付随したスライドを有する。スライドは、スライドチャネル中を着用者の顔に対して前方及び後方に摺動することが可能であり、複数の前方及び後方位置において選択的に固定されるのが可能である。それによって、バイザーは、着用者の顔に対して内向き又は外向きに調節され得る。
2009534120.tif 000002
【特許請求の範囲】
【請求項１】
バイザーと、
着用者の頭部に支持されるのに適した可撓性周辺バンドと、
前記バイザーを前記着用者の顔の前に一般的には配置した状態で両側の取り付け位置の各々で前記バイザーを前記可撓性周辺バンドに取り付ける取り付けアタッチメントと、を含む、着用者を保護するのに適したヘッドギアであって、
前記取り付けアタッチメントは、
第一ヘッドギア部分に付随したスライドチャネルと、
第二ヘッドギア部分に付随したスライドと、を含み、
前記スライドは、前記スライドチャネル中を前記着用者の顔に対して前方及び後方に摺動することが可能であり、
前記スライドは、複数の前方及び後方位置において選択的に固定されるのが可能であり、
それによって前記バイザーは、前記着用者の顔に対して内向き及び外向きに調節され得る、着用者を保護するのに適したヘッドギア。
【請求項２】
前記第一ヘッドギア部分が、前記周辺バンドを含み、前記第二ヘッドギア部分が、前記バイザーを含む、請求項１に記載のヘッドギア。
【請求項３】
前記着用者が、前記ヘッドギアを装着している状態で、前記着用者によって、前記バイザーが前記着用者の顔に対して内向き及び外向きに調節され得る、請求項１に記載のヘッドギア。
【請求項４】
前記取り付けアタッチメントは、前記スライドが複数の前方及び後方位置に調節可能に固定され得るように、前記スライド及び前記スライドチャネルの一方の上に突起部を有し、そして前記スライド及び前記スライドチャネルの他方の上に複数の噛み合い穴を有する弾力的に偏倚したタブを有する、請求項１に記載のヘッドギア。
【請求項５】
前記弾力的に偏倚したタブは、前記タブと複数の噛み合い穴のうちの１つが噛み合うように弾力的に偏倚される、請求項３に記載のヘッドギア。
【請求項６】
前記着用者が前記ヘッドギアを装着している状態で、前記着用者によって前記タブは引き上げ可能であり、前記スライドは調節可能である、請求項５に記載のヘッドギア。
【請求項７】
前記着用者によって、前記バイザーが前記着用者の顔の前に一般的には配置される低位置へ、及び前記着用者の顔の上に一般的には配置される高位置へ、前記バイザーが操作され得るように、前記取り付けアタッチメントが前記バイザーに枢動可能に取り付けられる、請求項１に記載のヘッドギア。
【請求項８】
前記バイザーは溶接ヘルメットを含む、請求項１に記載のヘッドギア。
【請求項９】
着用者を保護するのに適したバイザーを有するヘッドギアのためのヘッドサスペンションシステムであって、
着用者の頭部に支持されるのに適した可撓性周辺バンドと、
前記着用者の顔の前に一般的には配置される前記バイザーの両側の取り付け位置の各々で前記バイザーを前記可撓性周辺バンドに取り付ける取り付けアタッチメントと、を含み、
前記取り付けアタッチメントが、
第一ヘッドギア部分に付随したスライドチャネルと、
第二ヘッドギア部分に付随したスライドと、を含み、
前記スライドは、前記スライドチャネル中を前記着用者の顔に対して前方及び後方に摺動することが可能であり、
前記スライドは、複数の前方及び後方位置において選択的に固定されるのが可能であり、
ぞれによって前記バイザーは、前記着用者の顔に対して内向き及び外向きに調節され得る、ヘッドサスペンションシステム。
【請求項１０】
前記第一ヘッドギア部分が、前記周辺バンドを含み、かつ前記第二ヘッドギア部分が、前記バイザーを含んだ、請求項９に記載のヘッドサスペンションシステム。
【請求項１１】
前記着用者が、前記ヘッドギアを装着している状態で、前記着用者によって、前記バイザーが前記着用者の顔に対して内向き及び外向きに調節され得る、請求項９に記載のヘッドサスペンションシステム。
【請求項１２】
前記取り付けアタッチメントが、前記スライドが複数の前方及び後方位置に調節可能に固定され得るように、前記スライド及び前記スライドチャネルの一方の上に突起部、及び前記スライド及び前記スライドチャネルの他方の上に複数の噛み合い穴を有する弾力的に偏倚したタブを有する、請求項９に記載のヘッドサスペンションシステム。
【請求項１３】
前記弾力的に偏倚したタブが、前記タブと複数の噛み合い穴のうちの１つの噛み合いへ向けて弾力的に偏倚される、請求項１２に記載のヘッドサスペンションシステム。
【請求項１４】
前記着用者が、前記ヘッドギアを装着している状態で、前記タブは前記着用者によって引き上げ可能であり、かつ前記スライドが調節可能である、請求項１３に記載のヘッドサスペンションシステム。
【請求項１５】
前記着用者によって、前記バイザーが、前記着用者の顔の前に一般的には配置される低位置、及び前記着用者の顔の上に一般的には配置される高位置に操作され得るように、前記取り付けアタッチメントが前記バイザーに取り付けられる、請求項９に記載のヘッドサスペンションシステム。
【請求項１６】
前記バイザーが、溶接ヘルメットを含む、請求項９に記載のヘッドサスペンションシステム。
【請求項１７】
着用者を保護するのに適したヘッドギアに付随したバイザーの配置を調節する方法であって、前記ヘッドギアが前記バイザーをヘッドサスペンションシステムに取り付けるための取り付けアタッチメントを有し、前記取り付けアタッチメントは第一ヘッドギア部分に付随したスライドチャネル及び第二ヘッドギア部分に付随したスライドを有し、前記スライドは前記着用者の顔に対して前記スライドチャネル中を前方及び後方に摺動することが可能であり、前記スライドは複数の前方及び後方位置に選択的に固定され、それによって前記バイザーは前記着用者の顔に対して内向き及び外向きに調節され、
前記スライドに付随したタブを解放する工程と、
前記タブを使用する前記スライドチャネルに対して前記スライドを摺動する工程と、
前記タブを外すことで、複数の前方及び後方位置のうちの１つに前記スライドを選択的に固定する工程と、を含む方法。
【請求項１８】
前記第一ヘッドギア部分が、前記周辺バンドを含み、かつ前記第二ヘッドギア部分が、前記バイザーを含む、請求項１７に記載の方法。
【請求項１９】
前記摺動工程が、前記着用者が前記ヘッドギアを装着している状態で達成され得る、請求項１７に記載の方法。
【請求項２０】
前記取り付けアタッチメントが、前記スライドが複数の前方及び後方位置に調節可能に固定され得るように、前記スライド及び前記スライドチャネルの一方の上に突起部、及び前記スライド及び前記スライドチャネルの他方の上に複数の噛み合い穴を有する弾力的に偏倚したタブを有する、請求項１７に記載の方法。
【請求項２１】
前記弾力的に偏倚したタブが、前記タブと複数の噛み合い穴のうちの１つの噛み合いへ向けて弾力的に偏倚される、請求項２０に記載の方法。
【請求項２２】
前記摺動工程が、前記着用者が前記ヘッドギアを装着している状態で達成され得る、請求項２１に記載の方法。
【請求項２３】
前記着用者によって、前記バイザーが、前記着用者の顔の前に一般的には配置される低位置、及び前記着用者の顔の上に一般的には配置される高位置に操作され得るように、前記取り付けアタッチメントが前記バイザーに取り付けられる、請求項１７に記載の方法。
【請求項２４】
前記バイザーは溶接ヘルメットを含む、請求項１７に記載の方法。
【発明の詳細な説明】
【技術分野】
【０００１】
本発明は、一般的にヘッドサスペンションシステム及びヘッドギア、特に寸法又は構成を調節できるようなヘッドサスペンションシステム及びヘッドギア、及びヘッドサスペンションシステムの調節方法又は構成方法に関する。
【背景技術】
【０００２】
ヘッドサスペンションシステムによっては、再配置ストラップによって調節される場合がある。ヘッドバンドストラップを再配置することで調節されるヘッドサスペンション調節機構の１つの例は、米国特許第５，６０８，９１７号（ランディス（Landis）ら）の「人間工学ヘッドバンド装置（Ergonomic Head Band Apparatus）」に開示されている。人間工学ヘッドバンドは、第一及び第二の上向き湾曲側弧状セグメント、前側弧状領域及び着用者の後頭部で連結する尾部を備えている。尾部は、互いに対して再配置可能であり共通の寸法調節を実現させる。フェイスシールド又は他の装置をヘッドバンドと連結させてよい。
【０００３】
他のヘッドギア支持体は、互いに対して相対的に摺動する両先端部を備えるヘッドバンドに調整性をもたらす。例として、米国特許第３，５００，４７４号（オースティン（Austin））の「調節可能ヘッドバンド（Adjustable Headband）」；米国特許第４，８８８，８３１号（オルソン（Oleson））の装置を調節するのに摺動自在に配置される「安全帽のシェルに使用する調節可能ヘッドバンドサスペンションシステム（Adjustable Head Band Suspension System For Use With Hard Hat Shell）」；米国特許第５，８９６，５８６号（フロウンド（Freund））の長手方向に間隔の空いた複数のスロット及び間隔の空いたスロットの端部を摺動自在に受け入れるチャネルを備える「弾性ファスナを有する弾性的に湾曲可能なファスナ表面（Adjustable Headband Having a Resiliently Bowable Fastener Surface）」；及び米国特許第６，３４１，３８２号（ライビン（Ryvin）他）の一体形成された摺動自在な調節機構を有する「ワンピース調節ヘッドギア支持体（One-Piece Adjustable Headgear Support）」がある。しかしながら、このような調節機構は現場の着用者が調節するのが常に容易なわけではなく、保護ヘルメットに不要な重さが付加され得る。
【０００４】
米国特許第５，０７７，８３６号（アイドフ（Idoff）ら）の「ヘッドギア」は、バイザーのような保護具を取り付けるためのヘッドギアを開示している。ヘッドバンドは、額バンド区域、側面バンド区域、首バンド区域を備える。首バンド区域は、ノブで固定された摺動自在な部分を含む調節機構を備える。さらに、額区域は調節可能バックルを備える。また、調節機構は使用者が調節するのが過度に困難であり、ヘッドギアに不要な重さを付加し得る。
【０００５】
米国特許第４，９４２，６２８号（フロウンド（Freund））の「ラチェット調節を有するヘルメットサスペンション（Helmet Suspension Having Ratchet Adjustment）」は、寸法においてヘッドサスペンションを調節するラチェット調節手段を有する頭部保護又はヘルメットサスペンションを開示している。調節ノブは、ラチェットケース中のピンと係合し、所定の位置でヘッドサスペンション寸法を固定する。調節ノブ及びラチェット機構は、ヘルメットに不要な重さを付加し得る。
【０００６】
米国特許第５，５７１，２１７号（デルボン（Del Bon）ら）の「人間の頭部を保護するための保護アセンブリ（Protective Assembly For The Protection Of The Human Head）」は、保護アセンブリを着用する人間の頭に連結するのに適した円形支持構造を有する保護アセンブリを開示している。保護バイザーは、低い作業位置及び高い静止位置に関して旋回するような支持構造に枢動可能に連結される。機構及び作動部材は、視認方向に及びより低い作業位置にバイザーの位置を調節及び固定するために設けられている。バイザーの前部及び後部調節手段には、取り外し可能な止めねじ及び取り付けラグが付いている。前部及び後部調節手段は、止めねじを外し、止めねじを異なる取り付け穴位置に再挿入することで得られる。止めねじを外し、再挿入するのは、特に、すでに厳しい条件下で作業中の作業者にとって、煩わしく達成するのが難しい過程であり得る。
【０００７】
米国特許第７，００７，３０６号（ハワード（Howard）ら）の「フェイスシールドアセンブリ（Face Shield Assembly）」は、フレームとそのフレームに支持される取り外し可能な保護要素を備えるフェイスシールドアセンブリを開示している。フレームは、高位置（使用外）と低位置（使用中）の間を移動するように、支持構造上に枢動可能に支持される。フレームは、取り付けボルトを外し、異なる取り付け穴位置に再配置することで、使用者の頭部に対して選択的に間隔が空けられ得る。また、取り付けボルトを外して再配置することは、煩わしく、達成するのが困難な過程であり得る。
【０００８】
オプトレル（Optrel）（商標）ギャラクシー（Galaxy）（商標）の溶接ヘルメットは、顔から顎までのヘルメットの配置を調節できる傾斜式及び伸縮式ヘッドギアも有する。しかしながら、着用者の顔から顎までのヘルメットの配置を調節できる傾斜式及び伸縮式ヘッドギアを達成する機構について、開示されていない。
【特許文献１】米国特許第５，６０８，９１７号
【特許文献２】米国特許第３，５００，４７４号
【特許文献３】米国特許第４，８８８，８３１号
【特許文献４】米国特許第５，８９６，５８６号
【特許文献５】米国特許第６，３４１，３８２号
【特許文献６】米国特許第５，０７７，８３６号
【特許文献７】米国特許第４，９４２，６２８号
【特許文献８】米国特許第５，５７１，２１７号
【特許文献９】米国特許第７，００７，３０６号
【発明の開示】
【発明が解決しようとする課題】
【０００９】
保護ヘルメット、特に溶接ヘルメットは、重く扱いにくい傾向がある。保護ヘルメットの重さは、熱及び他の不都合な要因の厳しい条件においてすでに作業する場合の多い着用者にとって煩わしいものとなる。保護ヘルメットの重さによって、さらにその負担が増加する。
【００１０】
保護ヘルメットにおけるヘッドサスペンションシステムは、ヘルメットを満足できるものとするために、着用者の特定の要求に対して調節されなければならない。不適合なヘルメット、特に重いものは、着用者にとって非常に不快であり、作業を誤ったり、怪我をする危険性をもたらす。
【００１１】
溶接ヘルメットのような従来の保護ヘルメットにおける調節機構は、典型的に、嵩高であるかもしくは調節が困難であるか、その両方である。嵩高な調節ノブを必要とする調節機構は、保護ヘルメットに相当な重さを付加し得る。一般的な調節機構は、調節が非常に難しい取り外し可能且つ置換可能なボルト又は止めねじを伴う場合がある。緩めなければならないボルトは、多数のボルト、ナット及びワッシャの緩みを招くことが多く、これらを再度組み立てることは困難となり得る。これは、着用者がグローブのような手保護具を装着している際に、特に当てはまる。
【課題を解決するための手段】
【００１２】
本発明は、ヘッドサスペンションシステム、ヘッドギア及び軽量且つ着用者が着用している際であっても容易に調節ができるヘッドギアに備えられるバイザーの調節方法を提供する。バイザーは、移動可能な弾性タブを引き上げて摺動させる、及び弾性タブをヘッドバンド上又はヘッドバンドに備えられる複数の固定穴のうちの１つと係合させることで、内向き及び／又は外向き、つまり後方又は前方にそれぞれ調節し得る。
【００１３】
一実施形態において、本発明は、バイザーおよび着用者の頭部に支持されるのに適した可撓性周辺バンドを有する、着用者を保護するのに適したヘッドギアを提供する。取り付けアタッチメントは、着用者の顔の前に一般的には配置されるバイザーの両側の取り付け位置の各々で、バイザーを可撓性周辺バンドに取り付ける。取り付けアタッチメントは、第一ヘッドギア部分に備えられるスライドチャネルと第二ヘッドギアを備えられるスライドを有する。スライドは着用者の顔に対して、スライドチャネル中を前後に摺動することができ、複数の前方及び後方位置に選択的に固定されることが可能である。これによって、着用者の顔に対して内向き又は外向きにバイザーを調節することが可能となる。
【００１４】
一実施形態において、本発明は着用者を保護するのに適したバイザーを有するヘッドギアのためのヘッドサスペンションシステムを提供する。可撓性周辺バンドは、着用者の頭部に支持されるのに適している。取り付けアタッチメントは、着用者の顔の前に一般的には配置されるバイザーの両側面の取り付け位置の各々で、バイザーを可撓性周辺バンドに取り付ける。取り付けアタッチメントは、第一ヘッドギア部分に付随したスライドチャネルと第二ヘッドギアに付随したスライドを有する。スライドは着用者の顔に対して、スライドチャネル中を前後に摺動することができ、複数の前方及び後方位置に選択的に固定されることが可能である。これによって、着用者の顔に対して内向き又は外向きにバイザーを調節することが可能となる。
【００１５】
一実施形態において、第一ヘッドギア部分が周辺バンドであり、第二ヘッドギア部分がバイザーである。
【００１６】
一実施形態において、着用者がヘッドギアを着用している間に、バイザーは着用者によって着用者の顔に対して内向き又は外向きに調節され得る。
【００１７】
一実施形態において、取り付けアタッチメントは、スライドが複数の前方及び後方位置に調節可能に固定され得るように、スライド及びスライドチャネルの一方の上に突起部、及びスライド及びスライドチャネルの他方の上に複数の噛み合い穴を有する弾力的に偏倚したタブを有する。
【００１８】
一実施形態において、弾力的に偏倚したタブが、タブと複数の噛み合い穴のうちの１つの噛み合いへ向けて弾力的に偏倚される。
【００１９】
一実施形態において、着用者がヘッドギアを装着している状態で、このタブは引き上げ可能であり、スライドは着用者によって調節可能である。
【００２０】
一実施形態において、本発明は、着用者を保護するのに適したヘッドギアに付随したバイザーの位置を調節する方法を提供し、ヘッドギアがバイザーをヘッドサスペンションシステムに取り付けるための取り付けアタッチメントを有し、取り付けアタッチメントは第一ヘッドギア部分に付随したスライドチャンネル、第二ヘッドギア部分に付随したスライドを有し、スライドは着用者の顔に対してスライドチャネル中を前方及び後方に摺動することが可能であり、スライドは複数の前方及び後方位置に選択的に固定され、それによってバイザーは着用者の顔に対して内向き及び外向きに調節され得る。スライドに付随したタブを解放する。タブを使用するスライドチャネルに対してスライドを摺動する。タブを外すことで、複数の前方及び後方位置のうちの１つにスライドを選択的に固定する。
【００２１】
一実施形態において、第一ヘッドギア部分が周辺バンドであり、第二ヘッドギア部分がバイザーである。
【００２２】
一実施形態において、摺動工程が、着用者がヘッドギアを装着している状態で達成され得る。
【００２３】
一実施形態において、取り付けアタッチメントは、スライドが複数の前方及び後方位置に調節可能に固定され得るように、スライド及びスライドチャネルの一方の上に突起部、及びスライド及びスライドチャネルの他方の複数の噛み合い穴を有する弾力的に偏倚したタブを有する。
【００２４】
一実施形態において、弾力的に偏倚したタブが、タブと複数の噛み合い穴のうちの１つの噛み合いへ向けて弾力的に偏倚される。
【００２５】
一実施形態において、摺動工程が、着用者がヘッドギアを装着している状態で達成され得る。
【００２６】
一実施形態において、着用者によって、バイザーが、着用者の顔の前に一般的には配置される低位置、及び着用者の顔の上に一般的には配置される高位置に操作され得るように、取り付けアタッチメントがバイザーに枢動可能に取り付けられる。
【００２７】
一実施形態において、バイザーは溶接ヘルメットを含む。
【発明を実施するための最良の形態】
【００２８】
本説明で使用するとき、次の用語は示された意味を有する。
【００２９】
「ヘッドギア」は、着用者の頭部に装着されるか又は支持されることを意図とする、多数の一般的な保護品目のいずれかを意味し、限定はされないがヘルメット、特に溶接ヘルメットが挙げられる。
【００３０】
「バイザー」は、着用者の頭部、顔又は首を保護するのに使用され得る多数の装置のいずれかを意味し、限定はされないが、バイザー、フェイスマスク及びフェイスシールドが挙げられる。
【００３１】
「ヘッドサスペンションシステム」は、ヘッドギアの着用者の頭部に支持され得る機構を意味する。
【００３２】
「周辺バンド」は、一般的に少なくとも部分的に着用者の頭部を取り囲み、着用者の頭部に対してヘッドサスペンションシステムを支持するヘッドサスペンションシステムの部分を意味するが、このような周辺バンドは、実際には任意の特定位置で頭部を取り囲む必要はなく、周辺バンドは頭部の正確な周辺に実際に接触する必要はない。
【００３３】
「前方部分」は、ヘッドサスペンションシステムの着用者の頭部に向かって前方に一般的に配置されるヘッドサスペンションの部分を意味する。
【００３４】
「後方部分」は、ヘッドサスペンションシステムの着用者の頭部に向かって後方に一般的に配置されるヘッドサスペンションの部分を意味する。
【００３５】
「側面位置」は、ヘッドサスペンションが着用者の頭部に対して垂直に配置される際に、着用者の頭部の側面に一般的に向かう位置を意味する。
【００３６】
「スライドチャネル」は、摺動自在な係合においてスライドを受け入れる機構を意味する。
【００３７】
「スライド」は、スライドチャネル内を摺動するのに適した任意の品目を意味する。
【００３８】
図１は、ヘッドギア１０及び付随するヘッドサスペンションシステム１２の斜視図である。バイザー又はフェイスシールド１４は、側面取り付け位置１６でヘッドサスペンションシステム１２に取り付けられている。ヘッドギア１０の使用目的に応じて、異なる種類のバイザー又はフェイスシールド１４が使用され得る。例えば、溶接ヘルメットは、フェイスシールド１４に収納される、恐らく置換可能な保護視野レンズを備えるフェイスシールド１４を使用し得る。
【００３９】
側面取り付け位置１６は、好ましくは、バイザー１４又はフェイスシールド１４が、着用者の顔の前のバイザー１４が作業可能である位置にある低位置と、着用者の頭の上にバイザー１４が邪魔にならない視野を可能にする高位置との間で旋回できるようにさせる。
【００４０】
ヘッドサスペンションシステム１２は、一般的には、周辺バンド１８及び冠部バンド２０からなる。周辺バンド１８は、一般的に、着用者の頭顔部に対してバイザー１４を支えるために、着用者の頭部上に載っている。周辺バンド１８の後方部分２０は、調節可能な方法で後方部分２０の分離した部品の端部を調節可能に固定するスライド２６内に保持されるラチェット部材２４からなる微調節機構２２を含む。微調節機構２２のような調節機構は、当該分野において周知である。
【００４１】
ヘッドサスペンション１２は、「全体的」又は大きな調節機構も含む。つまり、微調節機構は、単独の全体的調節機構の存在による寸法、つまり長さ、における大きな変化等に適応する必要はないため、微調節機構２２はより小さく軽量に構成され得る。
【００４２】
ヘッドサスペンションシステム１２は、周辺バンド１８に取り付けられる冠部バンド２８も有し、さらなる支持を提供するために、着用者の頭部の頂上を通ることを意図している。スライド調節機構３０は、冠部２８が適合するように調節されるのを可能とする。
【００４３】
本実施形態における、バイザー１４における取り付け位置として供されるスライドアタッチメント３２は、スライドチャネル３４によって周辺バンド１８に固定される。スライドアタッチメント３２は、バイザー１４に枢動可能に連結されている。スライドアタッチメントと連結する弾性タブ３６は、ヘッドギア１０が着用者に装着される間、着用者の顔に対してバイザー１４を前後に調節することを可能にする。弾性タブ３６は、突起部又はペグ３８が周辺バンド１８の上又は中に含まれる穴４０から切り離され得るように、着用者に握られ、引き上げられ得る。一度切り離されると、弾性タブ３６はスライドアタッチメント３２を容易に前方に摺動することでバイザー１４を外側に、又は後方に摺動することでバイザー１４を内側に移動するように操作され得る。弾性タブ３６は、突起部又はペグ３８を、着用者の顔に対して他の位置でバイザー１４を固定する穴４０の他の１つの中に解放することができる。弾性タブ３６の弾性特性は、弾性タブ３６を前方／後方位置においてバイザー１４を再び引き上げ、固定するまで、突起部又はペグ３８を穴４０内に維持することを可能とする。バイザー１４は、そのままスライドアタッチメント３２上で旋回し得る。
【００４４】
図２は、ヘッドサスペンションシステム１２を明確にするために、バイザー又はフェイスシールド１４を設置しないヘッドサスペンションシステム１２を図示する。図２は、周辺バンド１８を備えるヘッドサスペンションシステム１２の前側部分４２のより詳細な図示を提供する。周辺バンド１８の前側部分４２は、置換可能なブリッジ４４又は複数の互換性のあるブリッジのうちの１つとともに図示される。ブリッジ４４は、端部の双方において周辺バンド１８に連結している。前側部分４２の大部分を包含するように示しているが、ブリッジ４４は前側部分４２のより小さいか、又は大きな部分を包含し得ることが認識及び理解される。後方部分４２の位置において優れた操作及び性能が期待されるが、ブリッジ４４は後方部分２０に収容され得る。
【００４５】
好ましくは、いくつか、多く、又は複数の、ブリッジ４４における削除部分又は開口部４６は、ブリッジ４４にさらなる可撓性をもたらす。このような切除部分又は開口部４６はまた、周辺バンド１８をさらに軽量化させる。切除部分４６は、ブリッジ４４の対向側から交互に延在するように示されているが、このような切除部分４６は、ブリッジ４４の片縁部のみから延在するか、削除部分４６は、かわりに、ブリッジ４４のどちらかの側縁部に延在しないブリッジ４４内の開口部４６又は穴であり得ることが認識及び理解される。
【００４６】
取り付け機構５２は、取り付け位置１６においてバイザー１４を周辺ヘッドギア１８、つまりヘッドサスペンションシステム１２に取り付けるのに使用され得る。図３は、取り付け位置１６の側面における取り付け機構５２の分解図である。図４は、取り付け位置１６の側面を図示する周辺バンド１８の一部分の側面図を図示する。図５は、スライドアタッチメント３２の後部斜視図である。図３、図４及び図５はともに、バイザー１４のヘッドサスペンションシステム１２及びヘッドサスペンションシステム１２の前部及び後部調節機構への取り付けを図示する。
【００４７】
周辺バンド１８におけるスライドチャネル３４は、バイザー１４において取り付けアタッチメントが固定され得る摺動自在なチャネルを提供する。スライドアタッチメント３２は、スライドチャネル３４と噛み合うタブ５４を有する。スタッド５６は、開口部５８を通してスライドアタッチメント３２に嵌め込まれ、ワッシャ６０及びつまみナット６２を使用してバイザー１４をスライドアタッチメント３２に枢動可能に固定する。このように配置することで、スライドアタッチメント３２を周辺バンド１８のスライドチャネル３４中に固定しながら、バイザー１４が旋回するのが可能となる。
【００４８】
スライドアタッチメント３２はまた、着用者の顔に対してバイザー１４を調節するように作動する。バイザー１４は、着用者の頭部上のヘッドサスペンションシステム１２の向きに対して背部又は後方にあるスライドチャネル３４において、スライドアタッチメント３２を摺動することで着用者の顔に向かって内側に移動し得る。バイザー１４はまた、着用者の頭部上のヘッドサスペンションシステム１２の向きに対して前方にあるスライドチャネル３４において、スライドアタッチメント３２を摺動することで着用者の顔に向かって外側にも移動し得る。
【００４９】
突起部３８（図５に図示する）は、複数の穴４０、又は周辺バンド１８中にあるか又は備えらている戻り止めのうちの１つと係合し、スライドアタッチメント３２を特定の前方／後方位置に固定し、それによって本質的にバーザー１４を着用者の顔から内側又は外側の特定の位置に固定する。弾性タブ３６は、あるいは着用者によって、あるいはヘッドギア１０を着用中に穴４０から突起部３８を切り離すために、引き上げられ得る。使用者は、弾性タブ３６を引き上げながら、スライドアタッチメント３２をスライドチャネル３４に沿って摺動し、バイザー１４を着用者の顔に対して移動させる。適切な又は所望の位置が得られたならば、使用者は弾性タブ３６を開放し、突起部３８を他又はあるいは同じ穴４０と係合させ得る。突起部３８と穴４０を係合することで、特定な位置でスライドアタッチメントを固定できる。
【００５０】
あるいは、スライドチャネル３４はバイザーに取り付けられ、スライドアタッチメントは周辺バンド１８に取り付けられてよい。
【００５１】
着用者の顔６４に対するバイザー１４の動きが、図６ａ及び図６ｂで図示される。図６ａにおいて、スライドアタッチメント３２の突起部３８は、穴４０と係合するために図６ａの左に向かうか、又は着用者の前頭部に向かって移動する。このように配置することで、バイザー１４は着用者の顔６４から十分に離れて配置される。それに対して図６ｂにおいては、スライドアタッチメント３２の突起部３８は、穴４０と係合するために図６ｂの右に向かうか、又は着用者の後頭部に向かって移動する。このように配置することで、バイザー１４は着用者の顔６４により近づいて配置される。
【００５２】
バイザー１４を着用者の顔６４からさらに離すか、もしくは着用者の顔６４に近づけて配置するのが望ましい。バイザー１４を着用者の顔６４に対して近づけて配置することで、より広い視界を着用者に提供し得る。しかしながら、バイザー１４を着用者の顔６４からより離れて配置することで、着用者の快適さを向上し、曇りを低下又は減少させ得る。着用者の顔６４に対するバイザー１４の正確な配置は、着用者の好み、請け負う作業における特定の条件及び／又は必要条件によるものであり得る。
【００５３】
取り付け機構５２によって、使用が容易であり、コンパクトで、軽量なヘッドサスペンションシステム１２が可能となる。取り付け機構５２は、着用者がヘッドギアを装着している際にバイザー１４を内側又は外側に移動するために、着用者によって容易に操作され得る。これは、軽量であり、快適なヘッドサスペンションシステム１２を提供するだけでなく、着用者の頭部からヘッドギア１０を外す必要なく、着用者がバイザー１４の位置を調節するのを可能とする。着用者の頭部からヘッドギア１０を外すのは、調節されている間、バイザーは着用者の頭部上の適所に実際にはないため、使用者がバイザー１４の所望の位置を想像することが必要になるであろう。これは、ヘッドギア１０を複数回にわたって外し、複数回にわたって調節することを必要とし、結果として効率を低下させ得る。
【００５４】
このように、本発明の実施形態が開示されている。本発明は、開示されたもの以外の実施形態でも実施可能であることを当業者は理解するであろう。開示された実施形態は、例証の目的で提示されているのであって、制限するものではなく、本発明は、次に続く請求項によってのみ限定される。
【図面の簡単な説明】
【００５５】
【図１】ヘッドサスペンションシステムに取り付けられる保護ヘッドギアの斜視図。
【図２】図１のヘッドサスペンションシステムの斜視図。
【図３】取り付けアタッチメント及びバイザースライド機構の分解図。
【図４】スライドチャネルを図示する周辺ヘッドバンドの一部分の側面図。
【図５】図４に図示されるスライドチャネルに使用できるスライドアタッチメントの斜視図。
【図６ａ】着用者の顔から離れて配置されるバイザーを図示する断面側面図。
【図６ｂ】着用者の顔に向けて配置されるバイザーを図示する断面側面図。
【図１】
2009534120.tif 000003
【図２】
2009534120.tif 000004
【図３】
2009534120.tif 000005
【図４】
2009534120.tif 000006
【図５】
2009534120.tif 000007
【図６ａ】
2009534120.tif 000008
【図６ｂ】
2009534120.tif 000009
【国際調査報告】
2009534120.tif 000010
2009534120.tif 000011